(57)【要約】  シャフト（１２）の回転運動を検出するための回転角測定システム（１０）であって、相対的に回転しないような態様で前記シャフト（１２）に接続されていると共に前記シャフト（１２）を径方向において取り囲む、少なくとも１つのセンサー磁石（２４）を備えるローターユニット（１８）と、固定されたステーターユニット（２０）と、前記ステーターユニット（２０）上で前記シャフト（１２）に対して径方向に間隔をあけて配置されていると共に、シャフト回転を検出するために前記センサー磁石（２４）と機能的に協働するマルチターン・センサーユニット（３０）と、を備え、前記マルチターン・センサーユニット（３０）は、ウィーガンドセンサー（３４）と、少なくとも１つのホールセンサー（４０）と、前記ウィーガンドセンサー（３４）及び前記ホールセンサー（４０）と電気的に接続された評価ユニット（３８）とを有し、前記マルチターン・センサーユニット（３０）は別個のセンサーユニット・プレート（３２）を備え、前記センサーユニット・プレート（３２）は、前記ステーターユニット（２０）に固定されており、前記センサーユニット・プレート（３２）の上には、前記ウィーガンドセンサー（３４）、前記少なくとも１つのホールセンサー（４０）及び前記評価ユニット（３８）が配置されている。【選択図】図１
2021528667.tif 000002
【特許請求の範囲】
【請求項１】
シャフト（１２）の回転運動を検出するための回転角測定システム（１０）であって、
相対的に回転しないような態様で前記シャフト（１２）に接続されていると共に前記シャフト（１２）を径方向において取り囲む、少なくとも１つのセンサー磁石（２４）を備えるローターユニット（１８）と、
固定されたステーターユニット（２０）と、
前記ステーターユニット（２０）上で前記シャフト（１２）に対して径方向に間隔をあけて配置されていると共に、シャフト回転を検出するために前記センサー磁石（２４）と機能的に協働するマルチターン・センサーユニット（３０）と、備え、
前記マルチターン・センサーユニット（３０）は、
ウィーガンドセンサー（３４）と、
少なくとも１つのホールセンサー（４０）と、
前記ウィーガンドセンサー（３４）及び前記ホールセンサー（４０）と電気的に接続された評価ユニット（３８）とを有し、
前記マルチターン・センサーユニット（３０）は別個のセンサーユニット・プレート（３２）を備え、前記センサーユニット・プレート（３２）は、前記ステーターユニット（２０）に固定されており、前記センサーユニット・プレート（３２）の上には、前記ウィーガンドセンサー（３４）、前記少なくとも１つのホールセンサー（４０）及び前記評価ユニット（３８）が配置されている、ことを特徴とする回転角測定システム（１０）。
【請求項２】
前記ウィーガンドセンサー（３４）及び前記ホールセンサー（４０）は、前記センサーユニット・プレート（３２）の上で互いに横方向に間隔をあけて配置されている、請求項１に記載の回転角測定システム（１０）。
【請求項３】
前記ウィーガンドセンサー（３４）は、前記センサーユニット・プレート（３２）の第１の軸方向の面（Ａ１）の上に配置されており、前記ホールセンサー（４０）は、前記センサーユニット・プレート（３２）の前記第１の軸方向の面（Ａ１）とは反対側の第２の軸方向の面（Ａ２）の上に配置されている、請求項１又は２に記載の回転角測定システム（１０）。
【請求項４】
前記マルチターン・センサーユニット（３０）は集積回路（３６）を備え、前記集積回路（３６）によって前記評価ユニット（３８）及び前記ホールセンサー（４０）が形成されている、請求項１〜３のいずれか１項に記載の回転角測定システム（１０）。
【請求項５】
前記集積回路（３６）は前記センサーユニット・プレート（３２）の前記第２の軸方向の面（Ａ２）の上に配置されており、前記ステーターユニット（２０）は前記ローターユニット（１８）とは反対側の軸方向の面に凹部（４２）を備え、前記集積回路（３６）は少なくとも部分的に前記凹部（４２）内に埋没している、請求項４に記載の回転角測定システム（１０）。
【請求項６】
前記ローターユニット（１８）は、円周に沿って均等に配分された４つのセンサー磁石（２４）を備える、請求項１〜５のいずれか１項に記載の回転角測定システム（１０）。
【請求項７】
前記シャフト（１２）は中空シャフトである、請求項１〜６のいずれか１項に記載の回転角測定システム（１０）。
【請求項８】
シャフトの部分的な回転を検出するために容量性のシングルターン・センサーユニットが設けられており、前記シングルターン・センサーユニットは、相対的に回転しないような態様で前記シャフトに接続された第１のシングルターン・センサー素子と、固定された第２のシングルターン・センサー素子とを含む、請求項１〜７のいずれか１項に記載の回転角測定システム（１０）。
【発明の詳細な説明】
【技術分野】
【０００１】
本発明は、シャフトの回転運動を検出するための回転角測定システムであって、相対的に回転しないような態様で前記シャフトに接続されていると共に前記シャフトを径方向において取り囲む、少なくとも１つのセンサー磁石を備えるローターユニットと、固定されたステーターユニットと、前記ステーターユニット上で前記シャフトに対して径方向に間隔をあけて配置されていると共に、シャフト回転を検出するために前記センサー磁石と機能的に協働するマルチターン・センサーユニットと、備え、前記マルチターン・センサーユニットは、ウィーガンドセンサーと、少なくとも１つのホールセンサーと、前記ウィーガンドセンサー及び前記ホールセンサーと電気的に接続された評価ユニットとを有するものに関する。
【背景技術】
【０００２】
そのような回転角測定システムは、シャフトの回転運動を測定するために用いられ、しばしば、角度測定装置、回転角センサー又はロータリーエンコーダとも呼ばれる。そのようなシステムは、特に、機械、装置又は乗り物の電気モーター、特にサーボモーターを制御及び監視するために使用される。その際、非接触の回転角測定システム、例えば光学的な又は磁気的に誘起されたシステムは、摩耗しないセンサーに起因して長い耐用年数を有するため、特別な役割を果たす。
【０００３】
特許文献１から、シャフトの回転運動を検出するための例えば磁石ベースの回転角測定システムが知られている。磁石ベースの回転角測定システムにおいて、シャフトの回転は、測定システムによって、純粋に磁気的に又は磁気光学的に検出される。測定システムは、複数のセンサー磁石がその上に配置された回転するローターユニットと、ウィーガンドセンサー、ホールセンサー及び評価ユニットを有するマルチターン・センサーユニットがシャフトに対して径方向に間隔をあけてその上に配置された固定されたステーターユニットと、を含んでいる。ローターユニットは、相対的に回転しないような態様でシャフトに接続されており、その結果、シャフトの回転時、センサー磁石は、固定されたマルチターン・センサーユニットの傍を通過して移動し、センサー磁石の磁界は、マルチターン・センサーユニットのウィーガンドセンサー及びホールセンサーによって検出される。
【０００４】
適用分野に応じて、回転角測定システムによって検出されるシャフトは、異なる態様で設計されることができ、特に、異なる外径を有することもできる。シャフトの回転運動の確実な検出を可能とするために、回転角測定システムは、個別のシャフト形状に適合されなければならない。この場合、シャフトの回転時に、センサー磁石の磁界がマルチターン・センサーユニットによって確実に検出され得るよう、ローターユニットのセンサー磁石と、マルチターン・センサーユニットのウィーガンドセンサー及びホールセンサーとの間の、正確な位置合わせがとりわけ重要である。
【先行技術文献】
【特許文献】
【０００５】
【特許文献１】独国特許出願公開第１０２００９０１９７１９号明細書
【発明の概要】
【発明が解決しようとする課題】
【０００６】
したがって課題は、簡単な方法で異なるシャフト形状に適合させることができる、シャフトの回転運動を検出するための回転角測定システムを創作することである。
【課題を解決するための手段】
【０００７】
この課題は、主請求項１の特徴を有する、シャフトの回転運動を検出するための回転角測定システムによって解決される。
【０００８】
本発明によれば、マルチターン・センサーユニットは別個のセンサーユニット・プレートを備え、当該センサーユニット・プレートはステーターユニットに固定されており、当該センサーユニット・プレートの上には、ウィーガンドセンサー、少なくとも１つのホールセンサー及び評価ユニットが配置されている。したがって、マルチターン・センサーユニットは、シャフト形状に応じて、センサー磁石の磁界の確実な検出を、ひいてはシャフトの回転運動の確実な検出を保証するために、簡単な方法でステーターユニット上において異なる態様で位置決め及び位置合わせされ得る、独自のモジュールとして設計されている。したがって、本発明による回転角測定システムは、簡単な方法で様々なシャフト形状に適合させることができる。
【０００９】
好ましくは、ウィーガンドセンサー及びホールセンサーは、横方向に、即ちシャフトの円周方向に、センサーユニット・プレート上で互いに間隔をあけて配置されている。したがって、シャフトの回転方向に応じて、センサー磁石は、その磁界がウィーガンドセンサーによって検出される時点において、ホールセンサーに対向するウィーガンドセンサーの側面の上、又は、ホールセンサーとは反対側のウィーガンドセンサーの側面の上のいずれかにあり、したがって、ホールセンサーに対して異なる距離にある。このことから、回転方向に応じて、この時点において異なるホールセンサー測定値が得られ、その結果、この時点のホールセンサー測定値を評価することによって、シャフトの回転方向を簡単な方法で決定することができる。
【００１０】
本発明の有利な実施形態において、ウィーガンドセンサーは、センサーユニット・プレートの第１の軸方向の面の上に配置されており、ホールセンサーは、センサーユニット・プレートの第１の軸方向の面とは反対側の第２の軸方向の面に配置されている。この場合、ホールセンサーは、一般に、センサーユニット・プレートのうちローターユニットに対向する軸方向の面に配置されており、その結果、センサー磁石は、非常に小さな軸方向距離でホールセンサーの傍を通過して案内される。このように、センサー磁界は、ホールセンサーの位置において大きな軸方向の磁界成分を有しており、その結果、当該センサー磁界を、ホールセンサーによって確実に検出することができる。ウィーガンドセンサーは、一般に、センサーユニット・プレートのうちローターユニットとは反対側の軸方向の面に配置されており、したがって、センサー磁石に対してより大きな距離で配置されている。したがって、センサー磁界は、ウィーガンドセンサーの位置において大きな横方向の磁界成分を有しており、その結果、センサー磁界を、ウィーガンドセンサーのウィーガンドワイヤーによって確実に検出することができ、当該ウィーガンドワイヤーは、一般に、シャフトに対して径方向に、したがって横断面内を延びている。ウィーガンドセンサー及びホールセンサーをセンサーユニット・プレートの対向する軸方向の面に配置することにより、シャフトの回転運動の確実かつ正確な検出が保証される。
【００１１】
有利には、マルチターン・センサーユニットは集積回路を備えており、当該集積回路によって評価ユニット及びホールセンサーが形成されている。このような集積回路は市販されており、簡単な方法でセンサーユニット・プレートの上に配置することができる。これにより、低価格で信頼性の高い回転角測定システムが可能となる。
【００１２】
本発明の特に有利な実施形態において、集積回路は、センサーユニット・プレートのうちローターユニットに対向する軸方向の面上に配置され、ステーターユニットは、ローターユニットとは反対側の軸方向の面に凹部を備えており、ホールセンサーを有する集積回路は、当該凹部内に少なくとも部分的に埋没している。したがって、センサー磁石とホールセンサーとの間の軸方向間隔は非常に小さく、その結果、センサー磁界をホールセンサーによって確実に検出することができる。
【００１３】
好ましくは、ローターユニットは、円周に沿って均等に配分された４つのセンサー磁石を備えている。こうして、ウィーガンドセンサーによって既にシャフトの半回転を検出することができ、それにより、シャフトの回転運動の確実な検出が可能となる。
【００１４】
本発明の有利な実施形態において、シャフトは中空シャフトである。本発明による回転角測定システムは、特に、シャフトの軸方向端部における従来のセンサー配置が特別な対策なしには不可能な、中空シャフトの回転運動の検出にも適している。
【００１５】
有利には、シャフトの部分的な回転を検出するために容量性のシングルターン・センサーユニットが設けられており、当該シングルターン・センサーユニットは、相対的に回転しないような態様でシャフトに接続された第１のシングルターン・センサー素子と、固定された第２のシングルターン・センサー素子とを含んでいる。容量性のシングルターン・センサーユニットは、簡単な方法で回転角測定システムに組み込むことができ、シャフトの回転運動の特に正確な検出を可能とする。
【００１６】
本発明による回転角測定システムの実施例が、以下において、添付図面に基づいて説明される。
【図面の簡単な説明】
【００１７】
【図１】本発明による回転角測定システムの縦断面図を示している。
【図２】図１の回転角測定システムのステーターユニットの軸方向における下面の平面図であり、当該下面の上にはマルチターン・センサーユニットが配置されている。
【図３】線IIIーIIIに沿って切断された、図２のステーターユニット及びセンサーユニットの断面図を示している。
【図４】図１の回転角測定システムのローターユニットの軸方向における上面の斜視図を示している。
【発明を実施するための形態】
【００１８】
図１は、シャフト１２の回転運動を検出するための回転角測定システム１０を示している。シャフト１２は、本実施例においては、実質的に軸方向に延び、静止モーターハウジング１６を有する駆動モーター１４によって駆動される中空シャフトである。回転角測定システム１０は、ローターユニット１８及びステーターユニット２０を含んでいる。
【００１９】
ローターユニット１８は、シャフト１２を径方向において取り囲み、シャフト１２に直接的に固定されたロータープレート２２を備えている。したがって、ローターユニット１８は、相対的に回転しないような態様でシャフト１２に接続されている。ロータープレート２２の軸方向における上面の上には、その円周に沿って均等に配分された４つのセンサー磁石２４が配置されている。ステーターユニット２０は、シャフト１２を径方向において取り囲むステータープレート２６を備えている。ステータープレート２６は、複数のステーター固定手段２８を介して、静止モーターハウジング１６に固定的に取り付けられている。
【００２０】
ステータープレート２６の軸方向における下面の上には、シャフト１２に対して径方向に間隔をあけて、マルチターン・センサーユニット３０が配置されている。マルチターン・センサーユニット３０は別個のセンサーユニット・プレート３２を備えており、当該センサーユニット・プレート３２の上には、ウィーガンドセンサー３４及び集積回路３６が配置されている。センサーユニット・プレート３２は、例えば接着接続又はプラグ接続を介して、ステータープレート２６の軸方向における下面に固定されている。集積回路３６は、電気的に互いに接続された評価ユニット３８及びホールセンサー４０を含んでいる。評価ユニット３８は更に、電気的にウィーガンドセンサー３４に接続されていると共に、不揮発性データメモリー（詳細には図示せず）に信号接続されており、当該不揮発性データメモリー内では、評価ユニット３８によって回転カウント値が保存され読み出される。集積回路３６は更に、制御ロジック（詳細には図示せず）及びエネルギー管理システム（詳細には図示せず）を含んでおり、これらは、ウィーガンドセンサー３４から得られた電気エネルギーによって、マルチターン・センサーユニット３０のエネルギー自給駆動を可能とする。マルチターン・センサーユニット３０の基本的な作動原理は、実質的に、独国特許発明第１０２５９２２３号明細書から見て取ることができ、これは、この関連において明示的に参照される。
【００２１】
ウィーガンドセンサー３４は、センサーユニット・プレート３２の第１の軸方向の面Ａ１、ここでは軸方向における下面に配置されていると共に、センサーユニット・プレート３２に固定されている。集積回路３６は、センサーユニット・プレート３２の第１の軸方向の面Ａ１とは反対側の第２の軸方向の面Ａ２、ここでは軸方向における上面に配置されていると共に、センサーユニット・プレート３２に固定されている。集積回路３６は、ステータープレート２６の軸方向における下面の上に形成された対応するステータープレート凹部４２内に、実質的に完全に埋没している。マルチターン・センサーユニット３０は、シャフト１２の回転時に、シャフト１２と共に回転するセンサー磁石２４の磁界が、ウィーガンドセンサー３４及びホールセンサー４０の両方によって確実に検出されるように、位置決め及び位置合わせされている。ウィーガンドセンサー３４と集積回路３６は、センサーユニット・プレート３２上で互いに横方向に間隔を置いて配置されており、その結果、ウィーガンドセンサー３４とホールセンサー４０は、周方向において互いにオフセットして位置決めされている。ウィーガンドセンサー３４がセンサー磁石２４の磁界を検出すると直ちに、ホールセンサー４０によって検出されたホールセンサー測定値が評価ユニット３８によって評価される。シャフト１２の回転方向に応じて、センサー磁石２４は、この検出時点において、ホールセンサー４０に対向するウィーガンドセンサー３４の側面の上、又は、ホールセンサー４０とは反対側のウィーガンドセンサー３４の側面の上のいずれかにあり、したがって、ホールセンサー４０に対して異なる距離にある。このことから、回転方向に応じて検出時点において異なるホールセンサー測定値が得られ、その結果、検出時点におけるホールセンサー測定値を評価することにより、シャフト１２の回転方向を簡単な方法で決定することができる。
【００２２】
角度分解能を改善するために、回転角測定システム１０は、ローターユニット１８の軸方向における下面に配置され、したがって相対的に回転しないような態様でシャフト１２に接続された第１のシングルターン・センサー素子と、ステーターユニット２０の軸方向における上面に固定的に配置された第２のセンサー素子とを有する、容量性のシングルターン・センサーユニット（詳細には図示せず）を含んでいる。回転角測定システム１０は更に、中央論理ユニット（詳細には図示せず）を備えており、当該中央論理ユニットは、シャフト回転の絶対値及びシャフトの現在の相対回転角の両方を決定するために、マルチターン・センサーユニット３４及びシングルターン・センサーユニットに信号接続されている。中央論理ユニットは、例えば、マイクロコントローラーによって、又は、いわゆる「フィールド・プログラマブル・ゲート・アレイ」（ＦＰＧＡ）によって形成することができる。
【符号の説明】
【００２３】
１０  回転角測定システム
１２  シャフト
１４  駆動モーター
１６  モーターハウジング
１８  ローターユニット
２０  ステーターユニット
２２  ロータープレート
２４  センサー磁石
２６  ステータープレート
２８  ステーター固定手段
３０  マルチターン・センサーユニット
３２  センサーユニット・プレート
３４  ウィーガンドセンサー
３６  集積回路
３８  評価ユニット
４０  ホールセンサー
４２  ステータープレート凹部
Ａ１  第１の軸方向の面
Ａ２  第２の軸方向の面
【図１】
2021528667.tif 000003
【図２】
2021528667.tif 000004
【図３】
2021528667.tif 000005
【図４】
2021528667.tif 000006
【国際調査報告】
2021528667.tif 000007
2021528667.tif 000008
2021528667.tif 000009
2021528667.tif 000010